(57)【要約】【課題】主務チェン及びそれ以外の金属製の構成部材に藻類が付着してバクテリヤの発生により構成部材が腐食することを確実に防止することができる汚泥かき寄せ機を提供する。【解決手段】下水中に浸る金属製の構成部材の全部又はその一部の構成部材の表面に光触媒をコーティングした。【効果】主務チェン等の金属製の構成部材に藻類が付着することを防止することができるので、嫌気性バクテリヤの発生によりそれらの構成部材が腐食して寿命が短くなったり、著しく見栄えが悪くなることを防止することができる。【選択図】      図１
2004344737.tif 000002
【特許請求の範囲】
【請求項１】
下水中に浸る金属製の構成部材の全部又はその一部の構成部材の表面に光触媒をコーティングしたことを特徴とする汚泥かき寄せ機。
【請求項２】
前記光触媒に二酸化チタンを用いた請求項１に記載の汚泥かき寄せ機。
【発明の詳細な説明】
【０００１】
【発明の属する技術分野】
本発明は、下水処理設備の沈殿池等において、沈殿、堆積する汚泥を汚泥溜（ピット）にかき寄せる汚泥かき寄せ機に関するものである。
【０００２】
【従来の技術】
下水処理設備の沈殿池等には、回転式、ミーダ式、サイフォン式等の汚泥かき寄せ機が設けられるが、図１に示すようなチェン式の汚泥かき寄せ機２が多く設置されている。
【０００３】
図１に示すように、流入溝４から沈殿池６に流入した下水は、沈殿性固形物が沈殿除去された後、流出溝８から流出するようになっている。沈殿池６の底部１０に沈殿、堆積した固形物は汚泥となり、汚泥かき寄せ機２により沈殿池６の流入溝４側の端部に設けられた汚泥溜１２にかき寄せられた後、不図示の汚泥ポンプで汚泥処理施設に送られるようになっている。
【０００４】
図２に示すように、沈殿池６には、駆動軸３４に固定されて主務チェン１８を循環させる駆動スプロケット２０、及び沈殿池６の側壁１６に設けられる軸受け２２に支持されて自在に回動する水中軸２４に固定されるスプロケット２６が、図１に示すような位置に複数配置されている。
【０００５】
主務チェン１８はこれら複数の駆動スプロケット２０及び２６に掛けられて、沈殿池６の水面１４側では下水の流れる方向と同じ方向に、底部１０側では下水の流れる方向と逆の方向に循環移動するようになっている。主務チェン１８は、２組設けられて、図１中において手前側と奥側に互いに平行に配置されており、これらは同期して循環移動するようになっている。
【０００６】
また、沈殿池６の水面１４側には、主務チェン１８がたるまないようにするため、これを下側から支持するガイドレール２８が水面１４と平行に設けられている。
【０００７】
主務チェン１８の外周には、この主務チェン１８と直角の向きとなるように複数の長板状のフライト３０が一定間隔で配置され、その両端部がそれぞれ手前側と奥側の主務チェン１８に固定されている。主務チェン１８が循環移動することにより、フライト３０は沈殿池６の底部１０に沈殿、堆積した汚泥を、かき揚げないように微速で汚泥溜１２にかき寄せるようになっている。
【０００８】
また、図２に示すように、原動モータ及び減速機の出力軸３２と、主務チェン１８を循環移動させる駆動スプロケット２０が固定されている駆動軸３４の間は、スプロケット３６、伝動チェン３８及びスプロケット４０を介して、回転が伝達されるようになっている。
【０００９】
【発明が解決しようとする課題】
しかしながら、このような従来の汚泥かき寄せ機２にあっては、汚水処理場が稼動しているときには、主務チェン１８、駆動スプロケット２０、軸受け２２、水中軸２４、スプロケット２６、ガイドレール２８、フライト３０、伝動チェン３８、スプロケット４０等の各構成部材が下水中に浸ることとなるため、これらの構成部材には藻類が付着すると共に、著しく見栄えが悪くなる。
【００１０】
そのため、これらの構成部材にはさらに汚泥が付着し易くなり、その結果嫌気性バクテリヤが発生してしまう場合がある。したがって、主務チェン１８やスプロケット２６等のように、スチールやステンレス等の金属製の構成部材は、嫌気性バクテリヤによって腐食の進行が促進され、寿命が短くなってしまうという問題があった。
【００１１】
このような問題を解決するための装置としては、特開平８−８０４０２号公報のように、藻類の除去装置としてのブラシを設けて、主務チェン等の駆動部材に当接させて、付着した藻類を擦り落とすようにしたものがある。
【００１２】
しかしながら、このような藻類の除去装置では、主務チェンやフライト等以外の、移動や回転をしない構成部材や、ブラシを当接させることができない部分に付着する藻類を除去することができないので、嫌気性バクテリヤの発生による腐食を防止する上では十分ではないという問題があった。
【００１３】
そこで本発明は、主務チェン及びそれ以外の金属製の構成部材に藻類が付着してバクテリヤの発生により構成部材が腐食することを確実に防止することができる汚泥かき寄せ機を提供することを課題とするものである。
【００１４】
【課題を解決するための手段】
上記課題を解決するために、本発明による汚泥かき寄せ機は、
下水中に浸る金属製の構成部材の全部又はその一部の構成部材の表面に光触媒をコーティングしたことを特徴とするものである。
【００１５】
【発明の実施の形態】
以下、本発明の実施の形態について、図面に基づいて具体的に説明する。
なお、本発明の一実施の形態に係る汚泥かき寄せ機は、図面上は前記従来の汚泥かき寄せ機２と同じなので、従来の汚泥かき寄せ機２の説明で参照した図と同じ図１及び図２に基づいて説明するものとする。
【００１６】
図１及び図２に示す汚泥かき寄せ機５０における、主務チェン１８、駆動スプロケット２０、軸受け２２、水中軸２４、スプロケット２６、伝動チェン３８、スプロケット４０等の、下水中に浸る金属製の構成部材の表面に、光触媒である二酸化チタン（ＴｉＯ２）を焼成することによりコーティングする。また、ガイドレール２８やフライト３０等が金属製の部分又は部品を有する場合には、これらにも二酸化チタンをコーティングする。
【００１７】
二酸化チタンは、波長３００ｎｍ〜４００ｎｍの近紫外線が当たると、細菌や有機物、におい物質等を分解する活性酸素を生成する。したがって、汚泥かき寄せ機５０を構成する金属製の構成部材に藻類が付着しても、上記活性酸素がそれを分解することにより、金属製の構成部材が嫌気性バクテリヤの発生により腐食するのを防止することができるので、汚泥かき寄せ機５０の各構成部材の寿命を長くすることができる。
【００１８】
このような汚泥かき寄せ機５０は、従来の構造を変更するものではないので、新たに設計する必要がない。また、各構成部材の寿命を長くすることができるので、メンテナンスに掛かる労力や時間を低減することもできる。
【００１９】
さらに、二酸化チタンによる活性酸素の生成は、それ自体で浄化作用を有するので、副次的に下水浄化処理能力も向上させることができる。
【００２０】
なお、本実施の形態では、下水中に浸る各種の金属製の構成部材に、二酸化チタンをコーティングすることとしたが、一部の構成部材のみにコーティングするようにしてもよい。例えば、主務チェン１８のみに二酸化チタンをコーティングするようにしてもよい。
【００２１】
また、二酸化チタンに照射する波長３００ｎｍ〜４００ｎｍの近紫外線は、太陽光にも含まれているので、特に近紫外線を照射するための装置を設けなくともよいが、効果を向上させるため、若しくは夜間や曇りの日に効果を低下させないために、近紫外線を照射するための装置を設けるようにしてもよい。
【００２２】
また、本実施の形態では、チェン式の汚泥かき寄せ機５０の構成部材に二酸化チタンのコーティングを施すようにしたが、回転式、ミーダ式、サイフォン式等の他の種類の汚泥かき寄せ機の構成部材にコーティングを施すようにしてもよく、この場合にも同様の効果が得られることはいうまでもない。
【００２３】
また、本実施の形態では、光触媒として二酸化チタン（ＴｉＯ２）を用いたが、二酸化チタンの他に、硫化カドミウム（ＣｄＳ）等の他の種類の光触媒をコーティングするようにしてもよい。
【００２４】
【発明の効果】
以上に説明したように、本発明による汚泥かき寄せ機によれば、主務チェン等の金属製の構成部材に藻類が付着することを防止することができるので、嫌気性バクテリヤの発生によりそれらの構成部材が腐食して寿命が短くなったり、著しく見栄えが悪くなることを防止することができる。
【００２５】
また、藻類を除去するメンテナンスに掛かる労力等を軽減することができ、さらに、光触媒による活性酸素の生成により下水浄化処理能力を向上させることもできる。
【図面の簡単な説明】
【図１】チェン式の汚泥かき寄せ機の概略側面図である。
【図２】図１における汚泥かき寄せ機のＡ−Ａ線断面図である。
【符号の説明】
２  汚泥かき寄せ機
４  流入溝
６  沈殿池
８  流出溝
１０  底部
１２  汚泥溜
１４  水面
１６  側壁
１８  主務チェン
２０  駆動スプロケット
２２  軸受け
２４  水中軸
２６  スプロケット
２８  ガイドレール
３０  フライト
３２  出力軸
３４  駆動軸
３６  スプロケット
３８  伝動チェン
４０  スプロケット
５０  汚泥かき寄せ機
【図１】
2004344737.tif 000003
【図２】
2004344737.tif 000004